(57)【特許請求の範囲】
【請求項１】
年月日及び時刻を表示する時刻表示部及びその時計の制御回路と、前記時刻表示部を内部に有する外形フレームとを備え、前記外形フレームの内部には、外部から密封されるとともに、外部と比べて減圧若しくは加圧された空間が形成され、前記空間の圧力変化を検出する映像記録時間の証明用時計において、
前記外形フレームの破損による圧力変化の検出により、その圧力変化に応じて前記時計の制御回路のプログラムを消去し、再起動をできないようにさせる差圧検出手段が、前記外形フレームに内蔵されていることを特徴とする映像記録時間の証明用時計。
【請求項２】
前記外形フレームは、その内部及び外部に光を出力する発光部を備えることを特徴とする請求項１記載の映像記録時間の証明用時計。
【請求項３】
前記発光部は年月日及び時刻ごとに配列された複数の発光体によって構成され、
前記発光体には、前記発光体を前記時刻表示部と同期して発光させる発光制御部が接続されていることを特徴とする請求項２記載の映像記録時間の証明用時計。
【請求項４】
前記外形フレームは、透明な素材で構成され、
前記外形フレーム内には、複数種類に色分けされた複数の小片物質が、任意の位置に混入されていることを特徴とする請求項１、２または３記載の映像記録時間の証明用時計。
【発明の詳細な説明】
【０００１】
【発明の属する技術分野】
本発明は、被写体と共に撮影されることにより、映像の記録時間を証明するための時計に関する。
【０００２】
【従来の技術】
一般的に、カメラ等により写真を撮影する際、被写体と共に時計を撮影すれば、その時計が表示する時刻も写真に写るため、その表示時刻を見れば撮影時刻を確認することができる。
【０００３】
【発明が解決しようとする課題】
しかしながら、上記のような写真をいわゆる証拠写真として法的な証明力を持つものとするには次のような問題がある。すなわち、撮影される時計が、腕時計や置時計のように持ち運び可能なものの場合には、その時計の表示時刻を手動で調整することにより、実際の撮影時刻とは異なる時刻を表示させることができてしまう。これは、写真に自動的に時刻が印字されるタイプのカメラでも同様である。
【０００４】
これに対処するため、建物外部や街頭に設置された時計を、被写体と共に撮影することも考えられる。しかし、都合の良い場所にかかる時計が存在するとは限らず、また映像合成によって、一方の写真の時刻表示部分を、他方の写真における異なる時刻表示部分と入れ換えることも不可能ではない。
【０００５】
本発明の目的は、以上のような従来技術の問題点を解決するために提案されたものであり、その目的は、どのような場所であっても、撮影時刻が証明できる映像を手軽に撮影できると共に、時刻表示の改変を困難とすることにより、その映像の撮影時刻に関して高い証明力が得られる映像記録時間の証明用時計を提供することにある。
【０００６】
【課題を解決するための手段】
上記の目的を達成するために、本発明は、年月日及び時刻を表示する時刻表示部と、前記時刻表示部を内部に有する外形フレームとを備えた映像記録時間の証明用時計において、以下のような技術的特徴を有する。
【０００７】
すなわち、請求項１に記載の発明は、前記外形フレームの内部には、外部から密封されるとともに、外部と比べて減圧若しくは加圧された空間が形成され、前記空間の圧力変化を検出する映像記録時間の証明用時計において、前記外形フレームの破損による圧力変化の検出により、その圧力変化に応じて前記時計の制御回路のプログラムを消去し、再起動をできないようにさせる差圧検出手段が、前記外形フレームに内臓されていることを特徴とする。
【０００８】
以上のような請求項１記載の発明によれば、時刻表示部を被写体と共に撮影し、撮影された映像内における時刻表示部の表示時刻を参照することによって、撮影時刻を確認できる。特に、時刻表示部は外形フレームによって密封されているので、外部から時刻を改変することはできない。このため、時刻表示部が作動し続けている限り、撮影された時刻表示が真正なものであることを証明できる。
【０００９】
また、時刻表示部を改変するために、時刻表示部を密閉している外形フレームを分解または破壊すると、破損個所から外部の空気が内部の空間に流入することによって、内部の気圧が変化する。差圧検出手段は、この気圧の変化を検出し、制御回路のプログラムを消去し、再起動をできないようにさせるので、時刻を証明することはできなくなる。従って、時刻表示を偽るための分解又は破壊行為を、無意味なものとすることができる。
【００１０】
請求項２に記載の発明は、請求項１記載の映像記録時間の証明用時計において、前記外形フレームは、その内部及び外部に光を出力する発光部を備えることを特徴とする。
【００１１】
以上のような請求項２記載の発明によれば、発光部の出力光が、外形フレームの内部及び外部を照らしているため、撮影された時刻表示部の表示時刻を映像合成によって改変しようとしても、画面上の改変部分と背景との境界において、出力光のずれが発生するため、改変が露見し易い。従って、時刻表示を偽るための映像合成による改変を、無意味なものとすることができる。
【００１２】
請求項３に記載の発明は、請求項２記載の映像記録時間の証明用時計において、前記発光部は年月日及び時刻ごとに配列された複数の発光体によって構成され、前記発光体には、前記発光体を前記時刻表示部と同期して発光させる発光制御部が接続されていることを特徴とする。
【００１３】
以上のような請求項３記載の発明によれば、発光部における複数の発光体の出力光が時刻と同期しているので、時刻表示部を見なくても、出力光の信号を見ることによって、年月日及び時刻を知ることができる。そして、同一の証明用時計を用いて、別々の時間に時刻表示部を撮影しておき、映像合成によって互いの映像における時刻表示部を入れ換えたとしても、出力光の信号内容までも一致させることはできないため、改変が露見し易い。従って、時刻表示を偽るための映像合成による改変を無意味なものとすることができる。
【００１４】
請求項４に記載の発明は、請求項１、２または３記載の映像記録時間の証明用時計において、前記外形フレームは、透明な素材で構成され、前記外形フレーム内には、複数種類に色分けされた複数の小片物質が、任意の位置に混入されていることを特徴とする。
【００１５】
以上のような請求項４記載の発明によれば、外形フレーム内に、色分けされた小片物質が任意の位置に混入されているので、各外形フレームがそれぞれ独自の外観を有することとなり、同一のものを作成することはできない。従って、撮影された映像における証明用時計と実際の証明用時計との同一性を容易且つ確実に判定することができる。また、時刻表示の異なる複数の証明用時計を製造し、これを撮影することによって時刻表示を偽ろうとしても、それぞれの外形フレームの外観が異なるため、その時刻表示に証明力を持たせることはできない。
【００１６】
【発明の実施の形態】
以下、本発明の一実施形態を、図１〜図５に基いて具体的に説明する。
（１）実施の形態の構成
図１に示すように、本実施の形態の証明用時計１は、長方形の板状に成形された、デジタル表示の置時計である。この証明用時計１は、年月日及び時刻を表示する時刻表示部７及び差圧スイッチ４を略直方体形状の外形フレーム２によって密封したものであり、その前面にはＬＥＤ表示部５、製造ナンバー３が設けられている。
【００１７】
時刻表示部７は、現在の年月日、時、分及び秒を表示するものであり、例えば、電源及び制御回路に接続されたＬＥＤやＬＣＤによって構成されている。制御回路は、電源がいったんＯＦＦとなると、内部の書き換えが不可能なメモリに記録されていた制御プログラムが消去され、再起動できないように構成されている。また、時刻表示部７は、密封状態で時刻の修正を行うことができないため、長期間の動作で時刻の誤差が生じる可能性がある。これに対処するため、一定期間が過ぎた後、自動的に停止するように制御プログラムを設定してもよい。
【００１８】
時刻表示部７を密封している外形フレーム２は、透明の樹脂成形品であり、その素材には、図１及び図３に示すように、成型時にカラーチップ２ａが混入されている。このカラーチップ２ａは、複数種類に色分けされた薄い略直方体形状の樹脂である。このように、外形フレーム２の内部には、カラーチップ２ａが任意の位置に配置されているので、同一の外観のものを製造することはできない。また、外形フレーム２の内部には、時刻表示部７の表面との間に僅かな隙間が設けられ、内部空間ができている。この内部空間は密封成形時に減圧されている。
【００１９】
差圧スイッチ４は、上述の内部空間に連通した状態で、外形フレーム２に密封されている。この差圧スイッチ４は、図２に示すように、金属またはセラミックなどの硬質材料で被われた円筒状のスイッチケース４ａ内に、ゴムまたはビニルの蛇腹４ｄを配して構成されている。スイッチケース４ａの上面は開口され、下面は密閉されている。スイッチケース４ａの上面には、時刻表示部７の電源に接続された一対の導線４ｇが取り付けられている。また、スイッチケース４ａの上面内側には、一対の導線４ｇにそれぞれ接続された通電接触部４ｆが設けられている。この通電接触部４ｆは、可動部４ｅと接離することにより電源をＯＮ・ＯＦＦするように構成されている。
【００２０】
つまり、可動部４ｅは、蛇腹上面に設けられた通電部位であり、通常時には通電接触部４ｆに接触しているが、外部破壊によって外形フレーム２内部の気圧が上昇すると蛇腹４ｄが押圧され、通電接触部４ｆから離れる方向へ移動するように構成されている。なお、４ｃは蛇腹４ｄを支持する固定部であり、４ｂはスイッチケース４ａ内の下部の空間を示す。
【００２１】
ＬＥＤ表示部５は、外形フレーム２の正面下部に複数のＬＥＤ８を配列したものであり、それぞれの出力光が、例えば、明滅等を利用して２進数を表示し、年月日時刻を表すようになっている。つまり、ＬＥＤ表示部５は、年に対応する５つのＬＥＤ８から成る年表示部位５ａ、月に対応する４つのＬＥＤ８から成る月表示部位５ｂ、日に対応する５つのＬＥＤ８から成る日表示部位５ｃ、時間に対応する５つのＬＥＤ８から成る時間表示部位５ｄ、分に対応する６つのＬＥＤ８から成る分表示部位５ｅ、秒に対応する６つのＬＥＤ８から成る秒表示部位５ｆを備え、合計３１個のＬＥＤ８が各部位毎に間隔を設けて配置されている。そして、図５に示すように、ＬＥＤ表示部５には、複数のＬＥＤ８を、時刻表示部７の年月日時刻（時間、分、秒）と同期して発光させる制御部５ｇが設けられている。
【００２２】
より具体的には、年表示部位５ａは、５つの出力光によって２進数で５桁（０〜３１）を表示できるので、これにより２０００〜２０３１年を表示する。月表示部位５ｂは２進数で４桁（０〜１５）を表示できるので、これにより１〜１２月を表示する。日表示部位５ｃは２進数で５桁（０〜３１）を表示できるので、これにより１〜３１日を表示する。時間表示部位５ｄは２進数で５桁（０〜３１）を表示できるので、１〜２４時を表示する。分表示部位５ｅは２進数で６桁（０〜６３）を表示できるので、これにより０〜５９分を表示する。秒表示部位５ｆは２進数で６桁（０〜６３）を表示できるので、これにより０〜５９秒を表示する。
【００２３】
また、ＬＥＤ表示部５における個々のＬＥＤ８は、外形フレーム２面上からわずかに突出している。そして、図５に示すように、ＬＥＤ表示部５の内部においては、ＬＥＤ８の上部に時刻表示部７に対向するレンズ９ａが設けられ、ＬＥＤ８の下部に外部に面したレンズ９ｂが設けられている。これにより、ＬＥＤ８の出力光は上部では時刻表示部７を照射し（矢印１０）、下部では外部下方を照射するようになっている（矢印１１）。
【００２４】
スイッチ６はＬＥＤ表示部５の起動及び停止を制御するスイッチである。すなわち、スイッチ６は、ＬＥＤ表示部５の電源に接続され、スイッチ６を押すとＬＥＤ８が発光し、再度押すとトグル動作でＬＥＤ８の発光が停止するように構成されている。なお、ＬＥＤ表示部５の電源は、時刻表示部７の電源と別体であっても、時刻表示部７の電源と共有のものであってもよい。
【００２５】
さらに、製造ナンバー３は、個々の証明用時計１を識別する番号が表示されたものであり、外形フレーム２の成形時の刻印や外形フレーム２の表面へのプリントによって付されている。
【００２６】
（２）実施の形態の作用
以上のような構成を有する本実施形態の作用は次の通りである。まず、図６に示すように、証明用時計１を被写体１２と共に写真に写せば、写真の証明用時計１の表示時刻によって写真の撮影時刻を証明することができる。また、外形フレーム２によって内部が減圧して密封されているため、通常は分解等は困難である。
【００２７】
しかし、写真に実際の撮影時刻とは異なった時刻を表示させることを意図した者が、証明用時計１を分解、破壊等して時刻操作をしようとする場合が考えられる。かかる場合には、まず、外形フレーム２の密封状態が解かれて、内部の空間に外部の空気が流入して気圧が上昇する。すると、差圧スイッチ４が作動してスイッチがＯＦＦとなる。差圧スイッチ４がＯＦＦになると、時計機能が停止して時刻表示部７が無表示となり、制御プログラムが消去されることによって再起動不可の状態となる。このため、時刻操作を行うことができなくなるとともに、証明用時計１を元に戻すこともできなくなる。従って、かかる分解、破壊作業は無意味なものとなる。
【００２８】
また、この写真を証拠写真とする際、写真に写された証明用時計１と現物のものとを照合して、同一であるか否かの確認を行うが、透明な外形フレーム２の内部には、上述のように色分けされ、任意の奥行き、傾きを有するカラーチップ２ａが混入されることによって、各個の証明用時計１が独自の外観を有しているため、確認照合を容易かつ確実に行うことができる。なお、製造ナンバー３も、かかる照合に役立てることができる。
【００２９】
次に、写真に実際の撮影時刻とは異なった時刻を表示させることを意図した者が、同一の証明用時計１を、異なる時刻に撮影した複数の写真があった場合に、そのうちの一枚の時計表示を切り取り、他の一枚の時計表示と移し替える改変を行なうことが考えられる。
【００３０】
かかる改変を防止するためには、まず、撮影時にスイッチ６を押し、ＬＥＤ表示部５を発光させて撮影する。すると、時刻表示部７のみを移し換えた際には、ＬＥＤ表示部５が現在の年月日及び時刻を表示しているため、時刻表示部７とＬＥＤ表示部５の表示内容が一致していないことを確認することにより映像合成を検出することができる。従って、かかる映像合成は無意味なものとなる。
【００３１】
また、証明用時計１本体の映像を移し替えた場合には、ＬＥＤ表示部５上部からの出力光が、時刻表示部７に対向したレンズ９ａを通して透明な外形フレーム２を照射して（矢印１０）、光を反射させており、背景を映し出している。このため、外形フレーム２に映っている背景が周囲の風景とずれを生じることになり、これによって移動を検出することができる。従って、かかる映像合成も無意味なものとなる。
【００３２】
例えば、手に持って撮影した場合の２枚の写真を使用した映像合成では、外形フレーム２に映っている背景のずれが起こるため、合成を発見することができる。同じ背景で証明用時計１の位置を変えて撮影した２枚以上の写真を使用し、背景のずれを生じない場合でも、出力光に照らされた周辺外部が元の位置に残るため、移動を検出することができる。
【００３３】
さらに、ＬＥＤ表示部５の下部からの出力光は、外部下方向を照らしているため（矢印１１）、時刻表示部７及びＬＥＤ表示部５を入れ替えても、図６に示すように、外部下方向（被写体１２の一部等）を照らしている出力光の表示内容を確認することによって、合成を発見することができる。また、その出力光の表示内容を確認すれば、証明用時計１の映像を入れ替えられても、写真を撮影した時刻を知ることができる。
【００３４】
（３）実施の形態の効果
以上のような本実施の形態の効果は以下の通りである。すなわち、持ち運び可能な置時計であるため、どのような場所であっても、撮影時刻が証明できる映像を手軽に撮影できる。そして、上述の通り、分解や映像合成による時刻表示の改変が非常に困難であるため、証明用時計１の時刻表示部７が証明時に作動し続けており、撮影された映像における証明用時計１との照合が可能である限り、その映像の撮影時刻に関して高い証明力を得ることができる。特に、一般のフィルムカメラやポラロイドカメラによって撮影した映像は、上述のような映像合成が困難なため、本発明が有効となるといえる。
【００３５】
さらに、撮影された映像における証明用時計１との同一性の判断も、外形フレームに混入されたカラーチップによって、容易且つ確実に行なうことができるので、迅速な証明が可能となる。
【００３６】
（４）他の実施の形態
本発明は以上のような実施の形態に限定されるものではなく、他にも多様な形態が実施可能である。例えば、以下のような形態も包含するものである。
まず、上記の実施形態では、外形フレーム２の内部空間を減圧したものであったが、逆に内部空間を加圧したものであっても構わない。外形フレーム２の内部空間を加圧する場合は、図２の蛇腹４ｄと通電接触部４ｆの位置は逆になる。別の方法として、蛇腹４ｄを使わずに、固定部４ｃをゴム状のものとして、上下可動とすれば上記の差圧スイッチ４と同様の機能を果たすことができる。
【００３７】
また、時刻操作を防止する手段として、上記の実施の形態においては、証明用時計１の内部を減圧して密封し、差圧スイッチ４を設けたが、これに限らず他の手段として、例えば、外形フレーム２の素材に、電源に直結した配線を通し外形フレーム２を外すと配線が切れ、時刻表示部７が停止するものや、時刻表示部７の表面をタッチパネル等として時刻表示部７に触れると、停止する構成としてもよい。さらに、内部空間の気圧変化に応じて差圧スイッチ４が作動する構造は、証明用時計１に限らず、他の工業用製品における外部操作の防止にも適用することができる。
【００３８】
外形フレーム２内の色分けされたカラーチップ２ａは、確認しやすいように細長くしたがこれに限定せず、他の形状、色彩であっても良く、また、材料も樹脂に限らず金属、セラミック、木材その他の材料であってもよい。さらに、図４に示すように小片樹脂に限らず、帯状に分布させた塗料２ｂであってもよい。
【００３９】
また、ＬＥＤ表示部５の出力光の色彩は限定せず、外部周辺及び外形フレーム２上部に発光させて照らし出す事ができれば他のものであってもよい。ＬＥＤ出力光の時刻表示方法も、２進数に限らず、他の表示方法であってもよい。ＬＥＤ出力光の表示時刻は、その一部、例えば、分や秒の表示を省略することも可能である。さらに、出力光の表示はＬＥＤの代わりに他の発光体、液晶等を用いてもよい。
【００４０】
また、本発明を使用する映像記録媒体としては、フィルムカメラやポラロイドカメラで撮影した写真には限定されず、他の記録媒体でも用いることができる。特に、ビデオカメラや動画用フィルムカメラで記録した媒体の場合には、全てのコマにおいて整合性のとれた映像合成を行なうことは困難なため、有効である。
【００４１】
【発明の効果】
以上述べたように、本発明の映像記録時間の証明用時計によれば、どのような場所であっても、撮影時刻が証明できる映像を手軽に撮影できると共に、時刻表示の改変を困難とすることによりその映像の撮影時間に関して高い証明力を得ることができる。
【図面の簡単な説明】
【図１】本発明による映像記録時間の証明用時計の実施の形態を示す斜視図である。
【図２】図１の実施の形態における差圧スイッチを示す斜視図である。
【図３】図１の実施の形態における外形フレームの一部を示す斜視図である。
【図４】図１の実施の形態における外形フレームの一部を示す斜視図である。
【図５】図１の実施の形態におけるＬＥＤ表示部を示す縦断面図である。
【図６】図１の実施の形態の使用態様の一例を示す斜視図である。
【符号の説明】
１…証明用時計
２…外形フレーム
２ａ…カラーチップ
２ｂ…帯状塗料
３…製造ナンバー
４…差圧スイッチ
４ａ…スイッチケース
４ｂ…下部空間
４ｃ…固定部
４ｄ…蛇腹
４ｅ…可動部
４ｆ…通電接触部
４ｇ…導線
５…ＬＥＤ表示部
５ａ…年表示部位
５ｂ…月表示部位
５ｃ…日表示部位
５ｄ…時間表示部位
５ｅ…分表示部位
５ｆ…秒表示部位
５ｇ…制御部
６…スイッチ
７…時刻表示部
８…ＬＥＤ
９ａ，９ｂ…レンズ
１０，１１…矢印
１２…被写体
【図１】
0003575003.tif 000002
【図２】
0003575003.tif 000003
【図３】
0003575003.tif 000004
【図４】
0003575003.tif 000005
【図５】
0003575003.tif 000006
【図６】
0003575003.tif 000007